(57)【要約】  バックアップ用の電源を備えるターントラップ式の便器装置を、低コストで提供することを、課題とする。本発明の便座装置１００は、ボウル１、ボウル１に連通接続されるトラップ２、トラップ２を動作させる電動機器４、停電時に電動機器４に電力を供給する電源９、及び制御部８を具備する。制御部８は、電源９の充電を行っているときは、電動機器４等の高負荷機器１０の駆動制御を禁止し、充電が完了してから許可するように設ける。
2014203290.tif 000002
【特許請求の範囲】
【請求項１】
排水口を有するボウルと、
前記排水口に連通接続される筒状のトラップと、
前記トラップを動作させることで封水姿勢と排水姿勢を切り替える電動機器と、
停電時に前記電動機器に電力を供給するバックアップ用の電源と、
制御部とを具備し、
前記制御部は、
前記電源を充電する充電制御と、前記電動機器を含む高負荷機器の駆動制御とを行い、前記電源の充電を行っているときは、前記高負荷機器の駆動制御を禁止し、前記電源の充電が完了したときに、前記高負荷機器の駆動制御を許可することを特徴とする便器装置。
【請求項２】
前記ボウル内への給水を開始及び停止させる電動開閉弁を更に備え、
前記電源は、
停電時に前記電動開閉弁にも電力を供給するものであることを特徴とする請求項１に記載の便器装置。
【請求項３】
前記制御部は、
経過時間に基づいて充電完了を判定するものであることを特徴とする請求項１又は２に記載の便器装置。
【請求項４】
前記制御部は、
充電される電流量に基づいて充電完了を判定するものであることを特徴とする請求項１又は２に記載の便器装置。
【発明の詳細な説明】
【技術分野】
【０００１】
本発明は、トラップを動作させて封水姿勢と排水姿勢を切り替える便器装置に関する。
【背景技術】
【０００２】
従来、トラップを動作させて封水姿勢と排水姿勢を切り替える方式（以下「ターントラップ式」という。）の便器装置が、提供されている。ターントラップ式の便器装置は、ボウルに連通する排水管に筒状のトラップを接続させ、このトラップを、電動機器を用いて動作させる構造である。【０００３】
特開２０００−２４０１３５号公報等では、ターントラップ式の便器装置において、停電時にも問題なく排水を行うために、電動機器を駆動するためのバックアップ用の電源を備えることが提案されている。
【発明の開示】
【０００４】
上述したターントラップ式の便器装置においては、電源を充電しておくことが必要である。この充電作業の最中に使用者がボタン操作等を行えば、充電と同時に、電動機器を駆動させる等の高負荷動作が行われる。
【０００５】
そのため、従来の便器装置では、充電と同時に高負荷動作を行っても対応するために、最大使用電流量を大きく設定していた。最大使用電流量を大きく設定するためには、電流定格を大きくするために基板や各部品を大型に設ける必要があり、便器装置の製造コストが高くなる原因となっていた。
【０００６】
本発明は、前記問題点に鑑みて発明したものであって、バックアップ用の電源を備えるターントラップ式の便器装置を、低コストで提供することを課題とする。
【０００７】
前記課題を解決するために、本発明を、下記構成を具備した便器装置とする。
【０００８】
本発明は、排水口を有するボウルと、前記排水口に連通接続される筒状のトラップと、前記トラップを動作させることで封水姿勢と排水姿勢を切り替える電動機器と、停電時に前記電動機器に電力を供給するバックアップ用の電源と、制御部とを具備し、前記制御部は、前記電源を充電する充電制御と、前記電動機器を含む高負荷機器の駆動制御とを行い、前記電源の充電を行っているときは、前記高負荷機器の駆動制御を禁止し、前記電源の充電が完了したときに、前記高負荷機器の駆動制御を許可することを特徴とする便器装置である。
【０００９】
本発明においては、前記ボウル内への給水を開始及び停止させる電動開閉弁を更に備え、前記電源は、停電時に前記電動開閉弁にも電力を供給するものであることが好ましい。
【００１０】
また、本発明において、前記制御部は、経過時間に基づいて充電完了を判定するものであることが好ましい。
【００１１】
また、本発明において、前記制御部は、充電される電流量に基づいて充電完了を判定するものであることも好ましい。
【図面の簡単な説明】
【００１２】
【図１】本発明の一実施形態の便器装置を概略的に示す断面図である。
【図２】同上の便器装置が備える制御部の電流制御を概略的に示すブロック図である。
【図３】同上の便器装置での電流供給を概略的に示すグラフである。
【図４】比較例の便座装置での電流供給を概略的に示すグラフである。
【発明を実施するための最良の形態】
【００１３】
本発明を、添付図面に示す実施形態に基づいて説明する。【００１４】
図１には、本発明の実施形態の一例の便器装置１００を示している。【００１５】
図１では、トラップ２を封水姿勢に保持した状態を実線で示し、トラップ２を排水姿勢に保持した状態を想像線で示している。【００１６】
本実施形態の便器装置１００は、底部に排水口１１を有するボウル１と、この排水口１１から水平方向に延長される排水管１２と、排水管１２の下流端に装着される変形自在なトラップ２と、トラップ２を収容するケース３とを具備する。【００１７】
トラップ２は、蛇腹形状を有する筒状の部材である。排水管１２の下流端にトラップ２の上流端を固定することにより、排水管２を介して、ボウル１の排水口１１とトラップ２とを連通接続させている。トラップ２の下流端には、排水口２１を開口させている。【００１８】
トラップ２は、ケース３の内部空間３１に配される。ケース３は、その底部に排水口３２を有する。この排水口３２が、図示略の外部排水管に連通接続される。【００１９】
つまり、ケース３の内部空間３１は、トラップ２が姿勢変更自在に収容される空間であり、この空間が、排水口３２を通じて外部排水管に連通接続される。【００２０】
トラップ２の姿勢変更を行う姿勢変更手段は、トラップ２を機械的に動作させる電動機器４から成る。電動機器４は、ケース３の側方に配置される図示略のモータと、このモータで発生させる回転動力で回動するアーム４１とから成る。【００２１】
アーム４１の先端部は、トラップ２の下流端部に機械的に連結される。トラップ２の姿勢は、アーム４１の回動に伴って変更される。【００２２】
トラップ２の上流端は、上流端開口が水平方向を向く状態で、排水管１２に固定される。【００２３】
トラップ２の下流端の排水口２１は、トラップ２が封水姿勢にあるときには上方に向けて開口する位置及び姿勢にあり、トラップ２が排水姿勢にあるときには下方に向けて開口する位置及び姿勢にある。ここでの上方とは、真上に限らず斜め上方を含む意味であり、ここでの下方とは、真下に限らず斜め下方を含む意味である。【００２４】
トラップ２の排水口２１は、アーム４１の回動軸まわりに回動され、封水姿勢と排水姿勢との間で姿勢を変更する。【００２５】
トラップ２の封水姿勢は、図１に実線で示すように、その下流端部を上流端部よりも上方に持ち上げ、側方から視て円弧状となるように屈曲させた姿勢である。トラップ２の排水姿勢は、図１に想像線で示すように、その下流端部を上流端部よりも下方にまで降ろし、側方から視て円弧状となるように屈曲させた姿勢である。【００２６】
ボウル１内に水を供給する給水手段５として、本実施形態では、水道に直結される給水管５１と、給水管５１の流路中に介在する電動開閉弁５２とを備える。給水手段５は、水道から直接的にボウル１内に給水を行う方式のものである。【００２７】
また、本実施形態の便器装置１００は、使用者の局部に洗浄水を吐出するための局部洗浄機器６を備える。局部洗浄機器６は、進退自在なノズル６１を備え、ノズル６１の先端部から使用者の局部に向けて洗浄水を吐出する。【００２８】
また、本実施形態の便器装置１００は、ボウル１の上方に開閉自在な便座７を備える。便座７はヒータ７１を内蔵している。ヒータ７１への通電により、便座７表面は加熱される。【００２９】
本実施形態の便器装置１００は、制御部８と電源９を更に備える（図２参照）。制御部８は、便器装置１００が備える各部の動作を制御する。前記各部は、例えば、トラップ２を回動させる電動機器４、ボウル１への給水を制御する電動開閉弁５２、局部洗浄機器６、便座７に内蔵されるヒータ７１等である。【００３０】
更に制御部８は、バックアップ用の電源９に対する充電制御を行う。電源９は、停電時に電動機器４に電力を供給するための電源である。制御部８は、便器装置１００の電源をオンにする毎に、電源９の充電を行う。【００３１】
本実施形態では、電源９によって、停電時の電動開閉弁５２への電力供給も行う。言い換えれば、電源９は、停電時に電動開閉弁５２への電力供給を行うための電源を兼ねる。なお、停電時に電動機器４に電力供給を行う電源９とは別に、停電時に電動開閉弁５２に電力供給を行う電源を備えることも可能である。【００３２】
図２に示すように、制御部８は、電流制御部８１と、電流制御部８１から電流を供給される機器制御部８２と、同じく流制御部８１から電流を供給される充電制御部８３とを有する。【００３３】
機器制御部８２は、少なくとも電動機器４を含む高負荷機器１０に対して電力を供給し、高負荷機器１０を駆動制御するものである。本実施形態では、高負荷機器１０は、電動機器４に加えて便座７用のヒータ７１と局部洗浄機器６を含む。【００３４】
更に制御部８は、入力電源電圧を検出する電源電圧検出部８４と、充電制御部８３による電源９の充電作業が完了したか否かを判定する充電完了判定部８５を有する。【００３５】
本実施形態では、充電完了判定部８５は、充電制御部８３から出力される充電時間の情報に基づいて、充電完了を判定する。なお、充電制御部８３から出力される充電電流の情報に基づいて、充電完了を判定することも好ましい。【００３６】
便器装置１００の電源をオンにすると、制御部８が有する電源電圧検出部８４が入力電源電圧を検知し、この検知情報を受けた電流制御部８１は、まず充電制御部８３に電力を供給し、電源９に対して充電を行う。【００３７】
電流制御部８１は、充電制御部８３を介して電源９の充電を行う間は、機器制御部８２への電力供給は行わない。【００３８】
充電制御部８３の充電作業の完了は、充電完了判定部８５によって判定する。充電完了判定部８５が充電完了と判定すれば、その判定情報を受けた電流制御部８１が、充電制御部８３への電力供給を終了させ、機器制御部８２への電力供給を可能とする。【００３９】
即ち、本実施形態の便器装置１００が備える制御部８は、便器装置１００の電源をオンにした直後に自動的に電源９の充電作業を行い、その充電作業中においては、仮に使用者が操作ボタンを操作しても、高負荷機器１０への電流供給を行わない。制御部８は、電源９の充電作業が完了した後に、高負荷機器１０への電流供給を許可する。【００４０】
ここでの高負荷機器１０は、前述のように、電動機器４、便座７用のヒータ７１及び局部洗浄機器６を含む。そのため、本実施形態の便器装置１００では、電源９の充電作業中には、使用者が排水を指示する操作ボタンを操作しても、制御部８は、電動機器４を駆動してトラップ２を動作させることがない。【００４１】
同じく、本実施形態の便器装置１００では、電源９の充電作業中に、使用者が便座７の加熱を指示する操作ボタンを操作しても、制御部８はヒータ７１への電流供給を行わない。また、電源９の充電作業中に、使用者が局部洗浄を指示する操作ボタンを操作しても、制御部８は局部洗浄機器６への電流供給を行わない。【００４２】
図３には、本実施形態の制御部８が行う電流供給を、概略的に示している。縦軸は電流、横軸は時間である。図示のように、本実施形態においては、電源９を充電するための電流ｉ１の供給が時間ｔ１に完了した後に、高負荷機器１０に対しての電流ｉ２の供給が許可される。したがって、電源９を充電するための電流ｉ１の供給と、高負荷機器１０に対しての電流ｉ２の供給とが、同時に行われることがない。そのため、最大使用電流量を抑えることができ、電流定格を大きくするために基板や部品を大型に設ける必要がなくなり、製造コストが低減される。【００４３】
図４には、比較例での電流供給を概略的に示している。縦軸は電流、横軸は時間である。この比較例は、従来技術として前述した便器装置の制御を示すものであって、充電作業中にも高負荷動作が可能な場合の電流供給を示している。【００４４】
この場合、電源を充電するための電流ｉ１の供給と、高負荷機器に対しての電流ｉ２の供給が同時に行われ、電流ｉ１＋ｉ２を供給する能力が必要となるため、便器装置の製造コストが高くなる。これに対して、本実施形態の便器装置１００は低コストで提供可能である。【００４５】
以上、添付図面に基づいて説明したように、本実施形態の便器装置１００は、排水口１１を有するボウル１と、排水口１１に連通接続される筒状のトラップ２と、トラップ２を動作させることで封水姿勢と排水姿勢を切り替える電動機器４とを具備する。更に便器装置１００は、停電時に電動機器４に電力を供給するバックアップ用の電源９と、制御部８とを具備する。電源９は充電可能なものであればよい。本実施形態では、電源９として大容量のコンデンサを用いるが、二次電池等の他の部材を用いても構わない。【００４６】
制御部８は、電源９を充電する充電制御と、電動機器４を含む高負荷機器１０の駆動制御とを行う。制御部８は、電源９の充電を行っているときは、高負荷機器１０の駆動制御を禁止し、電源９の充電が完了したときに、高負荷機器１０の駆動制御を許可するように設けている。【００４７】
したがって、本実施形態の便器装置１００においては、電源９を充電するための電流供給と、高負荷機器１０に対しての電流供給とが、同時に行われることがない。そのため、本実施形態の便器装置１００では、最大使用電流量を抑えることができ、電流定格を大きくするために基板や各部品を大型に設ける必要がなく、製造コストの低減が可能となる。【００４８】
また、本実施形態の便器装置１００では、ボウル内１への給水を開始及び停止させる電動開閉弁５２を更に備える。電源９は、停電時に電動開閉弁５２にも電力を供給するものである。【００４９】
したがって、本実施形態の便器装置１００においては、停電時にもボウル１内への給水を開始及び停止させることができる。しかも、最大使用電流量の増大は抑えられるため、製造コストは低減可能である。【００５０】
また、本実施形態の便器装置１００において、制御部８は、経過時間又は充電される電流量に基づいて、充電完了を判定するように設けている。【００５１】
経過時間に基づいて充電完了を判定するように設けた場合は、複雑な検出手段が不要であることから、製造コストを更に抑制することができる。【００５２】
充電される電流量に基づいて充電完了を判定するように設けた場合は、充電完了の判定を更に確実に行い、電源９を更に確実に充電することが可能となる。【００５３】
以上、本発明を添付図面に示す実施形態に基づいて説明したが、本発明は前記実施形態に限定されるものではなく、本発明の意図する範囲内であれば、適宜の設計変更を行うことが可能である。
【図１】
2014203290.tif 000003
【図２】
2014203290.tif 000004
【図３】
2014203290.tif 000005
【図４】
2014203290.tif 000006
【手続補正書】
【提出日】平成27年9月14日(2015.9.14)
【手続補正１】
【補正対象書類名】明細書
【補正対象項目名】００１７
【補正方法】変更
【補正の内容】
【００１７】
トラップ２は、蛇腹形状を有する筒状の部材である。排水管１２の下流端にトラップ２の上流端を固定することにより、排水管１２を介して、ボウル１の排水口１１とトラップ２とを連通接続させている。トラップ２の下流端には、排水口２１を開口させている。
【手続補正２】
【補正対象書類名】明細書
【補正対象項目名】００３２
【補正方法】変更
【補正の内容】
【００３２】
図２に示すように、制御部８は、電流制御部８１と、電流制御部８１から電流を供給される機器制御部８２と、同じく電流制御部８１から電流を供給される充電制御部８３とを有する。
【国際調査報告】
2014203290.tif 000007
2014203290.tif 000008